(57)【特許請求の範囲】
【請求項１】
電子デバイスであって、
能動区域（アクティブ・エリア）及び非能動区域（パッシブ・エリア）と、能動区域と非能動区域との間に置かれた境界領域とを含むディスプレイであって、複数の画素を含み、前記境界領域における第１の画素と、前記境界領域における第１の画素の隣の第２の画素との間の第１の距離は、前記能動区域における第３の画素と、前記能動区域における第３の画素の隣の第４の画素との間の第２の距離よりも大きい、前記ディスプレイと、
前記複数の画素を駆動するように構成される非能動区域内の駆動回路であって、前記駆動回路の駆動回路素子は、前記境界領域における前記第１の画素と、前記境界領域における第１の画素の隣の第２の画素との間の前記第１の距離に位置し、及び、前記境界領域及び前記非能動区域においてのみ形成される駆動回路と、
を備える、電子デバイス。
【請求項２】
直接隣接する隣の画素を有する、前記ディスプレイの前記境界領域における複数の画素のうちの各画素は、その隣の画素と異なる色の光を、共通の行で発生するように構成される、請求項１に記載の電子デバイス。
【請求項３】
直接隣接する隣の画素を有する、前記ディスプレイの前記境界領域における複数の画素のうちの各画素が、その隣の画素と異なる色の光を、共通の列で発生するように構成される、請求項１に記載の電子デバイス。
【請求項４】
前記ディスプレイが、有機発光ダイオードディスプレイを含む、請求項１に記載の電子デバイス。
【発明の詳細な説明】
【技術分野】
【０００１】
本出願は、２０１１年９月３０日に出願された米国特許出願第１３／２５１，１０３号に対する優先権を主張し、当該出願の全てを援用するものである。
【背景技術】
【０００２】
本開示は全体として電子ディスプレイに関し、より詳細には、有機発光ダイオード（ｏｒｇａｎｉｃ  ｌｉｇｈｔ  ｅｍｉｔｔｉｎｇ  ｄｉｏｄｅ、ＯＬＥＤ）ディスプレイのための可視面積全体の増大に関する。
【０００３】
このセクションは、以下に説明及び／又はクレームされている、本開示の種々の態様に関連し得る、種々の技術態様を読者に紹介することを意図している。この検討は、本開示の種々の態様を理解し易くする背景情報を読者に提供するのに役立つと考えられる。したがって、これらの説明は、その観点で読まれるべきであり、先行技術の容認として読まれるべきでないことを理解されたい。
【０００４】
液晶ディスプレイ（ｌｉｑｕｉｄ  ｃｒｙｓｔａｌ  ｄｉｓｐｌａｙ、ＬＣＤ）、有機発光ダイオード（ＯＬＥＤ）ディスプレイ等のフラットパネルディスプレイが、テレビ、コンピュータ、及びハンドヘルドデバイス（例えば、携帯電話、オーディオ及びビデオプレーヤ、ゲームシステムなど）のような電子デバイスを含む、多種多様の電子デバイスにおいて一般的に用いられている。このようなディスプレイパネルは通例、様々な電子製品に使用するのに適した比較的薄いパッケージのフラットディスプレイを提供する。加えて、このようなデバイスは通例、同程度のディスプレイ技術よりも使用電力が少なく、それらを、電池式デバイス、又は電力使用の低減が望まれる他の状況における利用に適したものにしている。
【発明の概要】
【発明が解決しようとする課題】
【０００５】
電子ディスプレイは通例、ディスプレイの周囲の境界部を含む。この境界部は、例えば、ディスプレイを動作させるために用いられる駆動回路を隠すために利用されてもよい。しかし、この境界部を使うと、画像の表示に利用可能な可視スペース全体が小さくなる。したがって、ディスプレイの周囲の境界部の影響を低減することによって、ディスプレイのための使用可能スペース全体を増大させるシステムを実装することが有益となるであろう。
【課題を解決するための手段】
【０００６】
本明細書に開示される特定の実施形態の要約を以下に示す。これらの態様が、これらの特定の実施形態の概要を読者に提供するためだけに提示され、これらの態様が、この開示の領域を限定するものではないことを理解されたい。実際に、本開示は、以下に記載されていない種々の態様を含み得る。
【０００７】
電子デバイスのための可視表示面積全体を拡大するシステム及び方法が開示される。電子デバイスの可視面積全体を拡大するための１つの技法は、電子デバイスの境界領域の画素ピッチ（即ち、隣接画素間の距離）を増大させることを含む。この方式では、デバイスのディスプレイの可視面積全体を増大させるために、境界領域のデバイスの画素素子間で駆動回路素子は分散され得る。別の技法は、電子デバイスのディスプレイの能動画素区域で発生される光を、例えばディスプレイの、駆動回路を収容する区域の上の光を発生しない区域へ伝送するために、ライトパイプを利用することを含んでもよい。更なる技法は、電子デバイスの知覚される表示面積全体を拡大するために、例えば駆動回路に隣接する境界領域の画素の寸法及び／又は輝度を調整することを含んでもよい。
【図面の簡単な説明】
【０００８】
この開示の種々の態様は、以下の詳細な説明を読み、図面を参照することによってよく理解されることがある。
【図１】一実施形態に係る、本明細書に開示されている技法を実行する能力を有する電子デバイスのブロック図である。
【図２】一実施形態に係る、コンピュータの形態の図１の電子デバイスの実施形態である。
【図３】一実施形態に係る、ハンドヘルドデバイスの形態の、図１の電子デバイスの実施形態である。
【図４Ａ】一実施形態に係る、第１の知覚能動区域を有する、図１の電子デバイスの有機発光ダイオード（ＯＬＥＤ）ディスプレイの平面図である。
【図４Ｂ】一実施形態に係る、第２の知覚能動区域を有する、図１の電子デバイスの有機発光ダイオード（ＯＬＥＤ）ディスプレイの平面図である。
【図５Ａ】一実施形態に係る、第１の知覚能動区域を有する、図１の電子デバイスの有機発光ダイオード（ＯＬＥＤ）ディスプレイの第２の平面図である。
【図５Ｂ】一実施形態に係る、第２の知覚能動区域を有する、図１の電子デバイスの有機発光ダイオード（ＯＬＥＤ）ディスプレイの第２の平面図である。
【図６Ａ】一実施形態に係る、第１の知覚能動区域を有する、図１の電子デバイスの有機発光ダイオード（ＯＬＥＤ）ディスプレイの第３の平面図である。
【図６Ｂ】一実施形態に係る、第２の知覚能動区域を有する、図１の電子デバイスの有機発光ダイオード（ＯＬＥＤ）ディスプレイの第３の平面図である。
【発明を実施するための形態】
【０００９】
以下において、１つ以上の特定の実施形態を説明する。これらの実施形態の簡潔な説明を提供するために、本明細書には実際の実施態様の全ての特徴は示されていない。そのような実際の実施態様の開発では、任意のエンジニアリング又は設計プロジェクトにおいて見られるように、実施態様ごとに異なることがあるシステム関連及び事業関連の制約の遵守などの開発者固有の目的を達成するために、多数の実施態様固有の決定を行わなければならないことを理解されたい。更に、開発努力は複雑で時間がかかる可能性があるが、それでも、本開示の利益を有する当業者には、設計、製作、及び製造の通常業務であることを理解されたい。
【００１０】
本実施形態は、電子デバイス用ディスプレイの知覚される表示面積を効果的に増大させる技法に関する。これらの技法は、電子デバイスの境界領域における画素ピッチ（即ち、隣接画素間の距離）を増大させること、及び駆動回路を含めるべく画素間の空きスペースを利用することを含んでもよい。すなわち、デバイスのディスプレイの可視面積全体を増大させるために、デバイスの境界領域において、デバイスの画素素子間に駆動回路素子が分散されてもよい。
【００１１】
別の実施形態は、電子デバイスのディスプレイの能動画素区域で発生される光を、光を発生しない区域へ伝送するために、ライトパイプを利用することを含んでもよい。例えば、光は、ライトパイプを介して、ディスプレイの、駆動回路を収容する区域へ伝送されてもよい。追加の実施形態は、電子デバイスの知覚される表示面積全体を拡大するために、例えば駆動回路に隣接する境界領域における画素の寸法及び又は輝度を調整することを含んでもよい。
【００１２】
上述のことを念頭に置いて、図１は、ディスプレイ１４の周囲の境界部の縮小の結果として、より大きな表面積を用いる有機発光ダイオード（ＯＬＥＤ）ディスプレイ１４を用いる電子デバイス１０のブロック図を示す。とりわけ、電子デバイス１０は、プロセッサ１２、ディスプレイ１４、メモリ１６、不揮発性記憶装置１８、入力構造体２０、入力／出力（ｉｎｐｕｔ／ｏｕｔｐｕｔ  、Ｉ／Ｏ）インタフェース２２、ネットワークインタフェース２４、及び／又は拡張カード２６を含んでもよい。代替実施形態では、電子デバイス１０に含まれる構成要素は、上記よりも多くても又は少なくてもよい。
【００１３】
一般的に、プロセッサ１２は電子デバイス１０の動作を制御することができる。プロセッサ１２は、オペレーティングシステム、プログラム、ユーザ及びアプリケーションインタフェース、並びに電子デバイス１０の任意の他の機能を実行する処理能力を提供することができる。プロセッサ１２は、１つ又は２つ以上の「汎用」マイクロプロセッサ、１つ又は２つ以上の専用マイクロプロセッサ及び／又はＡＳＩＣ、あるいはこのような処理構成要素の何らかの組み合わせ等の１つ又は２つ以上のマイクロプロセッサを含んでもよい。例えば、プロセッサ１２は、１つ又は２つ以上の縮小命令セット（ｒｅｄｕｃｅｄ  ｉｎｓｔｒｕｃｔｉｏｎ  ｓｅｔ、ＲＩＳＣ）プロセッサ、並びにグラフィックスプロセッサ、ビデオプロセッサ、オーディオプロセッサ及び／又は関連チップセットを含んでもよい。
【００１４】
プロセッサ１２によって処理される命令又はデータは、メモリ１６等のコンピュータ可読媒体に格納されていてもよい。このようなメモリ１６は、ランダムアクセスメモリ（ｒａｎｄｏｍ  ａｃｃｅｓｓ  ｍｅｍｏｒｙ、ＲＡＭ）等の揮発性メモリとして、及び／又はリードオンリーメモリ（ｒｅａｄ−ｏｎｌｙ  ｍｅｍｏｒｙ、ＲＯＭ）等の不揮発性メモリとして提供されてもよい。メモリ１６は様々な情報を格納してもよく、種々の目的のために用いられてもよい。例えば、メモリ１６は、電子デバイス１０で実行される、電子デバイス１０用のファームウェア（基本入力／出力命令又はオペレーティングシステム命令等）、種々のプログラム、アプリケーション、又はルーチン、ユーザインタフェース機能、プロセッサ機能などを格納してもよい。加えて、メモリ１６は、電子デバイス１０の動作中のバッファリング又はキャッシュするために用いられてもよい。
【００１５】
電子デバイス１０の構成要素は、データ及び／又は命令の永続的格納のために、不揮発性記憶装置１８等の、他の形態のコンピュータ可読媒体を更に含んでもよい。不揮発性記憶装置１８は、フラッシュメモリ、ハードドライブ、あるいは任意の他の光学、磁気、及び／又はソリッドステート記憶媒体を含んでもよい。不揮発性記憶装置１８は、例えば、ファームウェア、データファイル、ソフトウェア、無線接続情報、及び任意の他の好適なデータを格納するために用いられてもよい。
【００１６】
いくつかの実施形態では、不揮発性記憶装置１８からメモリ１６にロードされた命令に基づき、プロセッサ１２は、ディスプレイ１４を介して入力されるユーザタッチジェスチャに応答してもよい。ディスプレイ１４は有機発光ダイオード（ＯＬＥＤ）ディスプレイであってもよい。したがって、ディスプレイ１４は、デバイス１０によって生成される種々の画像を表示するために用いられてもよい。追加的に、電子デバイス１０のある実施形態では、ディスプレイ１４は、デバイス１０のための制御インタフェースの一部として用いられてもよい、タッチスクリーン等の、タッチセンシティブ要素と連動して提供されてもよい。このように、ディスプレイ１４は、対話機能性を提供することによって入力構造体２０のうちの１つを代表してもよく、かくして、ユーザが、ディスプレイ１０に触れることによって表示インタフェースをナビゲートすることを可能にする。
【００１７】
その他の入力構造体２０は、例えば、ボタン、スライダ、スイッチ、コントロールパッド、キー、ノブ、スクロールホイール、キーボード、マウス、タッチパッドなどを含んでもよい。したがって、入力構造体２０は、ユーザ入力又はフィードバックをプロセッサ１２に提供する種々のデバイス及び／又は回路を含んでもよい。例えば、入力構造体２０は、ユーザが表示ユーザインタフェース又はアプリケーションインタフェースをナビゲートすることを可能にしてもよい。このように、表示インタフェースは対話機能性を提供してもよく、ディスプレイ１０に触れることによって、ユーザが表示インタフェースをナビゲートすることを可能にする。
【００１８】
電子デバイスはまた、Ｉ／Ｏインタフェース２２を含んでもよい。Ｉ／Ｏインタフェース２２は、電子デバイス１０が他の電子デバイス１０及び／又は種々の周辺デバイスにデータを送信すること、並びにそれらからデータを受信することを可能にすることができる。それゆえ、Ｉ／Ｏインタフェース２２は、電源、ヘッドセット若しくはヘッドホン、外部キーボード、マウス、あるいはその他の電子デバイス（ハンドヘルドデバイス及び／又はコンピュータ、プリンタ、プロジェクタ、外部ディスプレイ、モデム、ドッキングステーションなど等）等の、様々な外部デバイスに接続するように構成されるポートを含んでもよい。Ｉ／Ｏインタフェース２２は、ユニバーサルシリアルバス（ｕｎｉｖｅｒｓａｌ  ｓｅｒｉａｌ  ｂｕｓ  、ＵＳＢ）ポート、ビデオポート、シリアル接続ポート、ＩＥＥＥ−１３９４ポート、及び／又はイーサネット若しくはモデムポート等の、あらゆるインタフェース形式をサポートしてもよい。
【００１９】
追加的に、電子デバイス１０は、ネットワークコントローラ又はネットワークインタフェースカード（ｎｅｔｗｏｒｋ  ｉｎｔｅｒｆａｃｅ  ｃａｒｄ、ＮＩＣ）を含み得るネットワークインタフェース２４を含んでもよい。それゆえ、一実施形態では、ネットワークインタフェース２４は、任意の８０２．１１規格又は任意の他の好適な無線ネットワーク規格を通じた無線接続性を提供する無線ＮＩＣであってもよい。ネットワークインタフェース２４は、電子デバイス１０が、パーソナルエリアネットワーク（ｐｅｒｓｏｎａｌ  ａｒｅａ  ｎｅｔｗｏｒｋ、ＰＡＮ）（例えば、Ｂｌｕｅｔｏｏｔｈ）、ローカルエリアネットワーク（ｌｏｃａｌ  ａｒｅａ  ｎｅｔｗｏｒｋ、ＬＡＮ）（例えば、Ｗｉ−Ｆｉ）、ワイドエリアネットワーク（ｗｉｄｅ  ａｒｅａ  ｎｅｔｗｏｒｋ、ＷＡＮ）（例えば、３Ｇ又は４Ｇ）等の、ネットワークを通じて通信することを可能にしてもよい。
【００２０】
図１に示されている電子デバイス１０の実施形態はまた、１つ又は２つ以上のカード又は拡張スロットを含んでもよい。カードスロットは、追加メモリ、Ｉ／Ｏ機能性、又はネットワーキング能力等の機能性を電子デバイス１０に追加するために用いられてもよい拡張カード２６を受容するように構成されてもよい。このような拡張カード２６は任意の種類の好適なコネクタを通じてデバイスに接続してもよく、電子デバイス１０の筐体の内部又は外部でアクセスされてもよい。例えば、一実施形態では、拡張カード２６は、セキュアデジタル（ＳｅｃｕｒｅＤｉｇｉｔａｌ、ＳＤ）カード、ミニ−又はマイクロＳＤ、コンパクトフラッシュカード、マルチメディアカード（Ｍｕｌｔｉｍｅｄｉａ  ｃａｒｄ、ＭＭＣ）、など等の、フラッシュメモリカードであってもよい。
【００２１】
追加的に、電子デバイス１０はまた、電源２８を含んでもよい。一実施形態では、電源２８は、リチウムイオンポリマー電池若しくはその他の種類の好適な電池等の、１つ又は２つ以上の電池であってもよい。電池はユーザによって取り外し可能であってもよく、又は電子デバイス１０の筐体内部に固定されていてもよく、再充電可能であってもよい。追加的に、電源２８は、電気コンセントによって提供されるもの等の、ＡＣ電力を含んでもよく、電子デバイス１０は電源アダプタを介して電源２８に接続されてもよい。この電源アダプタはまた、電子デバイス１０の１つ又は２つ以上の電池が存在する場合には、その電池を再充電するために用いられてもよい。
【００２２】
図２に、図１の電子デバイス１０の一実施形態が示されている。具体的には、図２はコンピュータ３０の形態の電子デバイス１０を示す。コンピュータ３０は一般的にポータブルであってもよく（ラップトップ、ノートブックコンピュータ、タブレットコンピュータ、ネットブックなど等）、Ｃｕｐｅｒｔｉｎｏ，ＣａｌｉｆｏｒｎｉａのＡｐｐｌｅ  Ｉｎｃ．から入手可能なＭａｃＢｏｏｋ（登録商標）、ＭａｃＢｏｏｋ（登録商標）Ｐｒｏ、ＭａｃＢｏｏｋ  Ａｉｒ（登録商標）、ｉＭａｃ（登録商標）、Ｍａｃ（登録商標）ｍｉｎｉ、又はＭａｃ  Ｐｒｏ（登録商標）のモデルであってもよい。別の実施形態では、電子デバイス１０は、Ａｐｐｌｅ  Ｉｎｃ．から入手可能なｉＰａｄ（登録商標）等のタブレットコンピューティングデバイスであってもよい。例として、ラップトップコンピュータ３０が図３に示されており、本開示の実施形態に係る電子デバイス１０の実施形態を表している。とりわけ、コンピュータ３０は、筐体３２、ディスプレイ１４（図示のＯＬＥＤディスプレイパネル等）、入力構造体２０、及び入力／出力インタフェース２２を含む。一実施形態では、入力構造体２０（キーボード及び／又はタッチパッド等）は、グラフィカルユーザインタフェース（ｇｒａｐｈｉｃａｌ  ｕｓｅｒ  ｉｎｔｅｒｆａｃｅ、ＧＵＩ）、又はコンピュータ３０で動作するアプリケーションの起動、制御、又は操作等の、コンピュータ３０との対話を可能にしてもよい。例えば、キーボード及び／又はタッチパッドが、ディスプレイ１４上に表示されたユーザインタフェース又はアプリケーションインタフェースをユーザがナビゲートすることを可能にしてもよい。また図示されているように、コンピュータ３０はまた、ＵＳＢポート、又は他の電子デバイスへの接続に適したその他のポート等の、種々のＩ／Ｏインタフェース２２を含んでもよい。加えて、コンピュータ３０は、図１に関して説明されたように、ネットワーク接続性、メモリ、及び記憶能力を含んでもよい。
【００２３】
図示のように、コンピュータ３０は、画像が表示されているとユーザが知覚し得る、ディスプレイ１４のための知覚能動区域３４を有してもよい。図４Ａ〜６Ｂに関して以下により詳細に説明するように、この知覚能動区域３４の寸法を知覚能動区域３６まで増大させるための技法が、コンピュータ３０に実装されてもよい。すなわち、ディスプレイ１４を取り囲む境界区域３８を実効的に縮小し、かくして、有効な、より大きなディスプレイ１４の区域をユーザに提供する、知覚能動区域３６を生成する技法を説明する。
【００２４】
図２の図示のラップトップコンピュータ３０等のコンピュータに加えて、電子デバイス１０は、図３に示されている電子ハンドヘルドデバイス４０等の他の形態を取ってもよい。図示のハンドヘルドデバイス４０は携帯電話との関連で提供されているが、その他の種類のハンドヘルドデバイス（音楽及び／又はビデオ再生用メディアプレーヤ、カメラ又はビデオレコーダ、パーソナルデータオーガナイザ、ハンドヘルドゲームプラットフォーム、並びに／又はこのようなデバイスの組み合わせ等）がまた、電子デバイス１０として適切に提供され得ることに留意されたい。更に、好適なハンドヘルドデバイス４０は、メディアプレーヤ、携帯電話、ゲームプラットフォーム、パーソナルデータオーガナイザなどの２つ以上の機能性を組み込むデバイス等、これらの種類のデバイスのうちの２つ以上の機能性を組み込んでもよい。例えば、図示の実施形態では、ハンドヘルドデバイス４０は、種々の追加の機能性（写真の撮影、オーディオ及び／又はビデオの記録、音楽の鑑賞、ゲームのプレイ等の機能等）を提供し得る携帯電話の形態である。更に、図１の電子デバイス１０に関して説明されたように、ハンドヘルドデバイス４０は、ユーザが、インターネットを通じて、又はローカル又はワイドエリアネットワーク等の他のネットワークを通じて、接続し、通信することを可能にしてもよい。追加的に、ハンドヘルドデバイス４０はまた、Ｂｌｕｅｔｏｏｔｈ及び／又は近距離無線通信（ｎｅａｒ  ｆｉｅｌｄ  ｃｏｍｍｕｎｉｃａｔｉｏｎ、ＮＦＣ）等の短距離接続を用いて他のデバイスと通信してもよい。例として、ハンドヘルドデバイス４０は、Ａｐｐｌｅ  Ｉｎｃ．から入手可能なｉＰｏｄ（登録商標）又はｉＰｈｏｎｅ（登録商標）のモデルであってもよい。
【００２５】
ハンドヘルドデバイス４０は、ＯＬＥＤディスプレイパネルを含み得るディスプレイ１４を含んでもよい。ディスプレイ１４は、ユーザがハンドヘルドデバイス４０と対話することを可能することができるグラフィカルユーザインタフェース（ＧＵＩ）を表示するために用いられてもよい。例えば、ＧＵＩは、アイコン３５及び／又はインジケータ３７等の電子デバイスのアプリケーション及び機能を表すグラフィカル要素を含んでもよい。アイコン３５は、ディスプレイ１０に含まれるタッチスクリーンを介して選択され、及び／又はアクティブにされてもよく、あるいはホイール又はボタン等のユーザ入力構造体２０によって選択されてもよい。ハンドヘルドデバイスは、カメラ３９及びスピーカ４１等の他の要素を更に含んでもよい。
【００２６】
ハンドヘルドデバイス４０はまた、ハンドヘルド電子デバイス４０の内部構成要素を物理的損傷から保護し、それらを電磁干渉から遮蔽するエンクロージャ４２又は本体を含んでもよい。エンクロージャは、プラスチック、金属又は複合材料等の任意の好適な材料から形成されてもよく、無線通信を容易にするために、ある周波数の電磁放射がハンドヘルドデバイス４０内部の無線通信回路へと通り抜けれるようにしてもよい。
【００２７】
ハンドヘルドデバイス４０はまた、ユーザ入力構造体２０を含み、それを通じてユーザはデバイスと相互作用してもよい。それぞれのユーザ入力構造体２０は、作動されると、ハンドヘルドデバイス４０のデバイス機能の制御に役立つように構成されてもよい。例えば、携帯電話の実施態様では、入力構造体２０のうちの１つ又は２つ以上が、「ホーム」画面又はメニューを呼び出して表示させる、スリープとウェイクモードとの間をトグルする、携帯電話アプリケーション用の着信音を消す、音量出力を上げる又は下げるなどするように構成されてもよい。ハンドヘルドデバイス４０は、外部デバイスへのハンドヘルドデバイス３０の接続を可能にする種々のＩ／Ｏインタフェース２２を追加的に含んでもよい。例えば、１つのＩ／Ｏインタフェース２２は、ハンドヘルドデバイス４０と、コンピュータ３０等の別の電子デバイスとの間のデータ又はコマンドの送信及び受信を可能にするポートであってもよい。このようなポートはＡｐｐｌｅ  Ｉｎｃ．からの独自のポートであってもよく、又はオープン標準のＩ／Ｏポートであってもよい。別のＩ／Ｏインタフェース２２は、ヘッドセットがハンドヘルドデバイス４０に接続することを可能にするためのヘッドホンジャックを含んでもよい。
【００２８】
更に図２に示されているコンピュータ３０と同様に、ハンドヘルドデバイス４０は、画像が表示されているとユーザが知覚し得る、ディスプレイ１４のための知覚能動区域３４を有してもよい。図４Ａ〜６Ｂに関して、より詳細に以下に説明するように、この知覚能動区域３４の寸法を、知覚能動区域３６まで増大させるための技法がハンドヘルドデバイス４０に実装されてもよい。すなわち、ディスプレイ１４を取り囲む境界区域３８を実効的に縮小し、かくして、有効な、より大きなディスプレイ１４の区域をユーザに提供する、知覚能動区域３６を生成する技法を説明する。
【００２９】
上述の説明を念頭に置くと、コンピュータ３０又はハンドヘルドデバイス４０のいずれの形態の電子デバイス１０には、ＯＬＥＤディスプレイパネル又は層を含むディスプレイ１４が提供されてもよいことが理解され得る。このようなディスプレイ１４は、電子デバイス１０上で走るそれぞれのオペレーティングシステム及びアプリケーションインタフェースを表示するため、及び／又はデータ、画像、若しくは電子デバイス１０の動作に関連付けられるその他の視覚的出力を表示するために利用されてもよい。更にこのディスプレイ１４の知覚される寸法を増大させるための技法を以下に説明する。
【００３０】
次に図４Ａを参照すると、上述された通りの電子デバイス１０用のディスプレイ１４の一実施形態が示されている。図４Ａは、有機発光ダイオード（ＯＬＥＤ）であってもよい、電子デバイス１０のディスプレイ１４の平面図を示す。ディスプレイ１４は、画素アレイ又はマトリックスに配置される画素４４で構成されてもよい。このようなアレイにおいて、それぞれの画素４４は、行と列（ここでは列４６、４８、及び５０で表される）との交点によって定義されてもよい。一実施形態では、列４６の画素４４は、赤色画素（即ち、赤色光を発生するために用いられる画素４４）を表してもよく、列４８の画素４４は、緑色画素（即ち、緑色光を発生するために用いられる画素４４）を表してもよく、列４８の画素４４は、青色画素（即ち、青色光を発生するために用いられる画素４４）を表してもよい。簡単にする目的のために８１個の画素４４のみが示されているが、実際の実施態様では、それぞれの画素アレイはこのような画素４４を数千個、数十万個、又は数百万個を含んでもよいことを理解されたい。更に、いくつかの実施形態では、３色の異なる色（例えば、赤色、緑色、及び青色）の３つの画素４４は、横に並べられるのではなく、互いに積み重ねられてもよい。
【００３１】
このように、本実施形態に示されるように、それぞれの画素４４は、特定の色の光を放射する能力を有する有機発光ダイオード（ＯＬＥＤ）を含む。それぞれの単位画素４４は、列５２に表される駆動回路に電気接続されてもよい。この駆動回路は、所与の線（水平選択）及び列（垂直選択）上の任意の特定の画素を選択してもよい。それゆえ、列５２の駆動回路は、アレイの任意の所与の画素４４を作動させ、及び／又はそれに輝度制御信号を提供するように動作してもよい。合同して、種々の画素４４が作動されると、全体画像がディスプレイ１４上に生成される。
【００３２】
列５２の駆動回路に加えて、ディスプレイ１４は非能動境界区域５４を含む。この非能動境界区域５４はマスクに相当してもよく、マスクは内部を通じて光が放射されない可能性のある暗い区域であり得る。このように、ディスプレイ１４は、アレイの画素４４（例えば、発光素子）のそれぞれを含む能動区域５６、並びに、光を発生する素子を含まない、ディスプレイ１４の受動区域５８を含んでもよい。それゆえ、ディスプレイ１４の可視区域６０（即ち、ユーザに対して光るディスプレイの区域）は能動区域５６の寸法に対応する。これは、図４Ａにおいて、ディスプレイ１４を被覆し、例えば、ハンドヘルド電子デバイス４０の内部構成要素を保護するエンクロージャ４２又は本体まで延在してもよい保護被覆面６２の側面図に関して更に示されている。一実施形態では、この保護被覆面６２は、ガラスベースの静電容量タッチパネル等のタッチスクリーンであってもよい。図４Ａに示されるように、可視区域６０は、図２及び３に示されている知覚能動区域３４に対応する。可視区域６０を越えると、境界部３８（即ち、ディスプレイ１４の非照光部分）が存在する。
【００３３】
図４Ｂは、図４Ａの知覚能動区域３４を、図４Ｂに示す知覚能動区域３６まで拡大するための技法を示す。図４Ｂは、図４Ａに関して先に説明されたように、列４６、４８、及び５０に整列された画素４４を有するディスプレイ１４を示す。追加的に、図４Ｂは、図４Ａに関して先に説明されたように、列５２に表される駆動回路及び非能動境界区域５４を示す。それゆえ、図４Ｂにおけるディスプレイ１４は、図４Ａに示されているのと同一の能動区域５６及び受動区域５８を有する。しかし、図４Ｂにおけるディスプレイ１４の可視区域６４は、図４Ａにおける可視区域６０と異なる。
【００３４】
図４Ｂに示されるように、ディスプレイ１４の可視区域６４（即ち、ディスプレイの、ユーザに対して光る区域）は、画素４４、及び列５２の駆動回路の両方に及ぶ。可視区域６０に対する可視区域６４のこの拡大は、保護被覆面６２の改良によって達成することができる。図４Ｂに示されるように、保護被覆面６２は、画素アレイの一部分の上に延在する平坦区域７０を含んでもよい。この平坦区域７０は、例えば、ディスプレイ１４の画素アレイの約５０％、６０％、６６％、７０％、７５％又はそれ以上に及んでもよい。保護被覆面６２のこの平坦区域７０から延在しているのはライトパイプ６６である。ライトパイプ６６は、図２及び３に示される知覚能動区域３６に対応する、知覚能動区域３６を生成するために、画素アレイからの光を、例えば、ディスプレイ１４の列５２の駆動回路区域を横切って輸送又は分配するように機能してもよい。
【００３５】
一実施形態では、ライトパイプ６６は、保護被覆面６２の厚さを、例えば、平坦区域７０の保護被覆面６２の厚さの約１０％、２０％、２５％、３０％、３３％、４０％、４５％、５０％又はそれ以上に等しい量７２で拡大させてもよい。加えて、ライトパイプは、保護被覆面６２の平坦区域７０に対して、例えば、平坦区域７０に関して約５％、１０％、１５％、２０％、２５％、３０％、３３％、４０％又はそれ以上の角度６８で延在してもよい。このように、ライトパイプ６６を用いることで、ディスプレイ１４の可視区域６４は、画素４４、及び列５２の駆動回路の両方に及び、かくして、図４Ａの知覚能動区域３４よりも大きな知覚能動区域３６を生成する。
【００３６】
図５Ａ及び５Ｂは、電子デバイス１０の知覚能動区域３４を、知覚能動区域３６まで拡大するための別の技法を示す。図５Ａは、図４Ａに関して先に説明されたように、列４６、４８、及び５０に整列された画素４４、列５２に表される駆動回路、並びに非能動境界区域５４を含む電子デバイス１０のディスプレイ１４を示す。この構成では、図５Ａのディスプレイ１４は、図４Ａに示されるものと同様の能動区域５６、受動区域５８、及び可視区域６０を有する。図５Ｂに、図５Ａのこの可視区域６０を拡大するための技法が示される。
【００３７】
図５Ｂは、図５Ａの可視区域６０（及び、それゆえ、ディスプレイ１４の知覚能動区域３４）を拡大するディスプレイ１４の構成を示す。図５Ｂは、図５Ａに関して先に説明されたように、列４６、４８、及び５０に整列された画素４４を有するディスプレイ１４を示す。これらの列４６、４８、及び５０は、列７４、７６、７８、及び８０によって表される能動境界区域８４によって、列５２の駆動回路と、非能動境界区域５４との両方から分離されていてもよい。すなわち、能動区域８２は、列４６、４８、及び５０に整列された画素４４を含み、一方で、能動境界区域８４は、駆動回路素子８１と混合された画素４４を含む。この方式において、境界区域（ディスプレイの、列５２の駆動回路、及び非能動境界区域５４に隣接する区域）における画素ピッチ（即ち、画素間の距離）を、能動区域８２（即ち、ディスプレイ１４の、境界区域に隣接する中央区域）の画素４４の画素ピッチに対して増大させ、それにより、画素４４が駆動回路素子によって隣の画素４４から離隔され、そこから分離され得るようにする。
【００３８】
図５Ｂに示されている例では、列４６、４８、５０、及び駆動回路の列５２の等価物が織り交ぜられ、列７４、７６、７８、及び８０を生成していることに留意されたい。すなわち、赤色、緑色、及び青色画素４４が、分散される駆動回路素子８１である。更に、画素４４及び駆動要素８１を分散させる際、列７４、７６、７８、又は８０のうちのいずれかの画素４４も、同色画素４４の直接上方、下方、左、又は右には配置されないことに留意されたい。隣接し合う同色画素４４の配置を避けることによって、望ましくない視覚的アーチファクトを最小限に抑え得る。更に、図５Ｂには、駆動回路素子８１と共に分散された画素４４の１つの具体的な構成が示されているが、その他の構成が考えられることに留意されたい。
【００３９】
図５Ｂに示されるように、能動境界区域８４の列７４、７６、７８、及び８０に駆動回路を分散させることによって、可視区域８６が生成されてもよい。この可視区域８６は図５Ａの可視区域６０よりも大きいことに留意されたい。すなわち、図５Ａの可視区域６０がディスプレイ１４の知覚能動区域３４に対応するのに対して、図５Ｂの可視区域８６はディスプレイ１４の知覚能動区域３６に対応する。このように、図５Ｂのディスプレイ１４を見るユーザは、図５Ａのディスプレイ１４を見るユーザよりもディスプレイが大きいと知覚することになる。
【００４０】
図６Ａ及び６Ｂは、電子デバイス１０の知覚能動区域３４を、知覚能動区域３６まで拡大するための追加の技法を示す。図６Ａは、図４Ａ及び５Ａに関して先に説明されたように、列４６、４８、及び５０に整列された画素４４、列５２に表される駆動回路、並びに非能動境界区域５４を含む、電子デバイス１０のディスプレイ１４を示す。この構成では、図６Ａのディスプレイ１４は、図４Ａ及び５Ａに示されるものと同様の能動区域５６、受動区域５８、及び可視区域６０を有する。図６Ｂに、図６Ａのこの可視区域６０を拡大するための技法が示される。
【００４１】
図６Ｂは、図６Ａの可視区域６０（及び、それゆえ、ディスプレイ１４の知覚能動区域３４）を拡大するディスプレイ１４の構成を示す。図６Ｂは、図６Ａに関して先に説明されたように、列４６、４８、及び５０に整列された画素４４を有するディスプレイ１４を示す。これらの列４６、４８、及び５０は、図６Ｂに示されるように、能動区域８８及び凝縮された能動区域９０にグループ化されてもよい。一実施形態では、能動区域８８の画素４４は図６Ａの能動区域５６の画素と同一の寸法である。対照的に、凝縮された能動区域９０の画素４４は図６Ｂの能動区域８８の画素よりも小さくてもよい。一実施形態では、凝縮された能動区域９０の画素４４は、例えば、図６Ｂの能動区域８８の画素４４の寸法の約２０％、２５％、３０％、３３％、４０％、４５％、５０％、６０％、７０％、７５％に等しくてもよい。加えて、図６Ｂの凝縮能動区域９０の画素４４は、能動区域８８の画素４４よりも高い輝度で駆動されてもよい。例えば、凝縮された能動区域９０の画素４４は、図６Ｂの能動区域８８の画素４４が駆動される輝度の約１１０％、１２０％、１２５％、１３０％、１３３％、１４０％、１４５％、１５０％、１６０％、１７０％、１７５％、２００％、２５０％、又は３００％に等しい輝度で駆動されてもよい。すなわち、凝縮された能動区域９０（即ち、ディスプレイ１４の、駆動回路に隣接する境界区域）の画素４４は、能動区域８８（即ち、ディスプレイ１４の、境界区域に隣接する中央区域）の画素４４と異なる寸法とされ、それらと異なって駆動されてもよい。
【００４２】
したがって、凝縮された能動区域９０でもより高い輝度で駆動される、より小さな画素４４を用いることで、可視区域９２が生成されてもよい。この可視区域９２は、図６Ａの可視区域６０よりも大きいことに留意されたい。すなわち、図６Ａの可視区域６０がディスプレイ１４の知覚能動区域３４に対応するのに対して、図６Ｂの可視区域９２はディスプレイ１４の知覚能動区域３６に対応する。このように、図６Ｂのディスプレイ１４を見るユーザは、図６Ａのディスプレイ１４を見るユーザよりもディスプレイが大きいと知覚することになる。
【００４３】
実施形態によれば、第１の画素とその隣の第２の画素との間の第１の距離は、第３の画素とその隣の第４の画素との間の第２の距離よりも大きい、複数の画素と、この複数の画素を駆動するように構成される駆動回路であって、この駆動回路の駆動回路素子は、第１の画素とその隣の第２の画素との間の第１の距離に位置する、駆動回路とを含む、ディスプレイが提供される。
【００４４】
別の実施形態によれば、第１の画素及びその隣の第２の画素は、ディスプレイの境界領域に位置する。
【００４５】
別の実施形態によれば、直接隣接する隣の画素を有する、ディスプレイの境界領域におけるそれぞれの画素は、その隣の画素と異なる色の光を、共通の行で発生するように構成される。
【００４６】
別の実施形態によれば、直接隣接する隣の画素を有する、ディスプレイの境界領域におけるそれぞれの画素は、その隣の画素と異なる色の光を、共通の列で発生するように構成される。
【００４７】
別の実施形態によれば、第３の画素及び第４の画素は、ディスプレイの中央領域に位置する。
【００４８】
別の実施形態によれば、ディスプレイは、有機発光ダイオードディスプレイを含む。
【００４９】
別の実施形態によれば、光を放射するように構成される複数の画素と、画素境界区域の複数の画素の少なくとも一部分に隣接する駆動回路区域であって、駆動回路区域は光を放射せず、光は駆動回路区域で発生されるように見える、駆動回路区域と、を含む、ディスプレイが提供される。
【００５０】
別の実施形態によれば、画素境界区域の複数の画素は、駆動回路区域で発生されるように見える光を発生する。
【００５１】
別の実施形態によれば、ディスプレイが、画素境界区域の上方に配置されるライトパイプを有し、このライトパイプは、画素境界区域で発生される光を、駆動回路区域の上方の領域へ伝送するように構成される。
【００５２】
別の実施形態によれば、ディスプレイの上方に保護被覆面が配置され、ライトパイプは、保護被覆面の一部分を含む。
【００５３】
別の実施形態によれば、保護被覆面は、静電容量タッチパネルを含む。
【００５４】
別の実施形態によれば、ディスプレイは、有機発光ダイオードディスプレイを含む。
【００５５】
別の実施形態によれば、画素境界区域の複数の画素は、ディスプレイの能動区域の複数の画素に隣接する。
【００５６】
別の実施形態によれば、画素境界区域の複数の画素は、ディスプレイの能動区域の複数の画素と異なる寸法である。
【００５７】
別の実施形態によれば、画素境界区域の複数の画素は、能動区域の画素の寸法の約５０％である。
【００５８】
別の実施形態によれば、画素境界区域の複数の画素は、ディスプレイの能動区域の複数の画素と異なる輝度で駆動される。
【００５９】
別の実施形態によれば、画素境界区域の複数の画素は、能動区域の画素の約２倍の輝度で駆動されてもよい。
【００６０】
別の実施形態によれば、ディスプレイに画像を表示する方法であって、ディスプレイの駆動回路に隣接する、ディスプレイの境界区域の第１の複数の画素を第１の輝度で駆動することと、ディスプレイの境界区域に隣接する、ディスプレイの能動区域の第２の複数の画素を、第２の輝度で駆動することと、を含む方法が提供される。
【００６１】
別の実施形態によれば、第１の輝度は、第２の輝度よりも高い。
【００６２】
別の実施形態によれば、第１の輝度は、第２の輝度の２倍である。
【００６３】
前述の特定の実施形態は、実施例として示されたが、これらの実施形態が、様々な修正及び代替形態が可能であることを理解されたい。更に、特許請求の領域が、開示された特定の形態に限定されず、むしろこの開示の趣旨と意図の領域にある全ての修正物、等価物、及び代替物を対象として含むことを理解されたい。
【図１】
0005837209.tif 000002
【図２】
0005837209.tif 000003
【図３】
0005837209.tif 000004
【図４Ａ】
0005837209.tif 000005
【図４Ｂ】
0005837209.tif 000006
【図５Ａ】
0005837209.tif 000007
【図５Ｂ】
0005837209.tif 000008
【図６Ａ】
0005837209.tif 000009
【図６Ｂ】
0005837209.tif 000010